(57)【特許請求の範囲】
【請求項１】
前面に投入口が形成され、前部が壁に埋め込まれた状態で設置可能な箱状の郵便受け本体と、
前記郵便受け本体の前端部に設けられて、前記郵便受け本体よりも前側に光を出す照明装置と、
前記郵便受け本体の外部の照度を検知するための照度センサーと、
前記照度センサーで検知した照度に応じて、前記照明装置の光出力を制御する制御装置とを備え、
前記郵便受け本体は前記前部が前記壁に埋め込まれた状態で設置されたときに前記壁から後方に突出する突出部を備え、この突出部に前記照度センサーが設けられ、かつ、前記照度センサーが前記郵便受け本体の側板部の内面に沿って配置されており、前記側板部に前記郵便受け本体の外部の光を前記照度センサーに至らせる開口部が形成されたことを特徴とする郵便受け。
【請求項２】
前記照度センサーと前記制御装置とを接続する電気配線を備え、
前記制御装置は、前記郵便受け本体の内部の前端部に設けられ、
前記郵便受け本体の内部に、前記側板部の内面に沿って前後方向に延びた配線収納部が設けられ、この配線収納部に前記電気配線の少なくとも一部が収納されたことを特徴とする請求項１に記載の郵便受け。
【請求項３】
前記照度センサーが、前記郵便受け本体の前記側板部の上部に設けられ、
前記制御装置が、前記郵便受け本体の内部の前端部でかつ前記投入口よりも下方に配置され、
前記郵便受け本体の前面を構成する前板部において、前記投入口の前記側板部側に位置する部分の内面側に、上下方向に延びた配線通路が設けられ、この配線通路に前記電気配線が通されたことを特徴とする請求項２に記載の郵便受け。
【請求項４】
請求項１〜３のいずれか１項に記載の前記郵便受けの前記郵便受け本体の前記前部が、前記壁に埋め込まれた状態で設置され、前記郵便受け本体の前記突出部が前記壁から後方に突出したことを特徴とする郵便受けの設置構造。
【発明の詳細な説明】
【技術分野】
【０００１】
本発明は、郵便受けおよび郵便受けの設置構造に関する。
【背景技術】
【０００２】
特許文献１には、郵便受けが開示されている。この郵便受けは、郵便物の投入部に開閉可能な外側扉が設けられている。外側扉にはＬＥＤ等からなる照明装置が取り付けられている。この郵便受けには、照度センサーが取り付けられており、夜間になると自動的に照明装置が点灯するように構成されている。
【先行技術文献】
【特許文献】
【０００３】
【特許文献１】特開２０１０−１３６９５７
【発明の概要】
【発明が解決しようとする課題】
【０００４】
ところで、前記郵便受けにあっては、照明装置から出た光が反射等して照度センサーに当たる恐れがある。この場合、照度センサーで検知した照度は、実際の照度よりも高くなるため、照明装置の前記点灯制御が適切に行われない可能性がある。
【０００５】
本発明は前記事情に鑑みてなされたものであって、照度センサーの検知結果に基づいて照明装置が適切に制御される郵便受けを提供することを課題とする。
【課題を解決するための手段】
【０００６】
前記課題を解決するために本発明に係る郵便受けは、前面に投入口が形成され、前部が壁に埋め込まれた状態で設置可能な箱状の郵便受け本体と、前記郵便受け本体の前端部に設けられて、前記郵便受け本体よりも前側に光を出す照明装置と、前記郵便受け本体の外部の照度を検知するための照度センサーと、前記照度センサーで検知した照度に応じて、前記照明装置の光出力を制御する制御装置とを備え、前記郵便受け本体は前記前部が前記壁に埋め込まれた状態で設置されたときに前記壁から後方に突出する突出部を備え、この突出部に前記照度センサーが設けられ、かつ、前記照度センサーが前記郵便受け本体の側板部の内面に沿って配置されており、前記側板部に前記郵便受け本体の外部の光を前記照度センサーに至らせる開口部が形成されたことを特徴とする。
【０００７】
また、本発明に係る郵便受けの設置構造は、前記郵便受けの前記郵便受け本体の前記前部が、前記壁に埋め込まれた状態で設置され、前記郵便受け本体の前記突出部が前記壁から後方に突出したことを特徴とする。
【発明の効果】
【０００８】
本発明の郵便受けは、照度センサーを、郵便受けの外部の光を検知しやすく、かつ照明装置から出た光を検出し難い位置に配置できる。このため、照度センサーの検知結果に基づいて照明装置を適切に制御できる。
【図面の簡単な説明】
【０００９】
【図１】図１は、本発明の実施形態の郵便受けを壁に設置した状態を示した側面図である。
【図２】図２は、図１の正面図である。
【図３】図３は、前記郵便受けの前側から見た斜視図である。
【図４】図４は、前記郵便受けの後側から見た斜視図である。
【図５】図５は、前記郵便受けの分解斜視図である。
【図６】図６は、前記郵便受けの上カバーおよび扉を省略した斜視図である。
【図７】図７は、前記郵便受けの前部の断面図である。
【図８】図８は、前記郵便受けの第２口枠を取り付けた前板部の右側部分を後側から見た斜視図である。
【図９】図９は、前記郵便受けの底板部および扉を省略した前記郵便受けの内部を後側から見た斜視図である。
【図１０】図１０は、前記郵便受け本体から第１口枠を取り外した状態を示した斜視図である。
【図１１】図１１は、前記郵便受けのセンサーユニットの分解斜視図である。
【図１２】図１２は、前記郵便受けのセンサーカバー近傍の断面図である。
【図１３】図１３は、前記郵便受けの郵便受け本体およびセンサーユニットを一部分解して示した斜視図である。
【発明を実施するための形態】
【００１０】
以下、添付図面に基づいて本発明の実施形態について説明する。図１および図２に本実施形態の郵便受け１を壁２に設置した状態を示す。図３および図４は、郵便受け１の全体斜視図である。
【００１１】
以下、郵便受け１が壁２に設置された状態を基準として、図３中Ｄ１に示す方向を前方、Ｄ２に示す方向を左方、Ｄ３に示す方向を上方として説明する。
【００１２】
郵便受け１は、郵便物を収納する箱状の郵便受け本体１０を備えている。
【００１３】
図３および図４に示すように、郵便受け本体１０の前端部には、投入口１７が設けられ、郵便受け本体１０の後端部には、取出口５７が設けられている。郵便受け本体１０の後端部には、取出口５７を開閉可能に閉塞する扉５８が設けられている。利用者は、扉５８を開いて、取出口５７から郵便受け本体１０に収納された郵便物を取り出すことができる。
【００１４】
本実施形態の郵便受け本体１０の外形は、横に長い直方体状である。郵便受け本体１０は、前板部１２、底板部１３、左右一対の側板部１４，１５、および天板部１６を備えている。
【００１５】
以下、必要に応じて、左右の側板部１４，１５のうち、一方の側板部１４（左側の側板部１４）を第１側板部１４と記載し、他方の側板部１５（右側の側板部１５）を第２側板部１５と記載する。
【００１６】
郵便受け本体１０の外面は、前板部１２、底板部１３、第１側板部１４，第２側板部１５、および天板部１６で構成されている。
【００１７】
具体的に、郵便受け本体１０の前面は、前板部１２で構成され、郵便受け本体１０の下面は、底板部１３で構成されている。郵便受け本体１０の左側面は、第１側板部１４で構成され、郵便受け本体１０の右側面は、第２側板部１５で構成されている。郵便受け本体１０の上面は、天板部１６で構成されている。
【００１８】
図５に示すように、前板部１２は、前方から見て横に長い長方形状に形成されている。前板部１２は、例えば金属製である。
【００１９】
前板部１２には、前後方向に貫通した投入口１７が形成されている。本実施形態の投入口１７は、前方から見て横に長い長方形状の孔である。投入口１７は、前板部１２の上部の左右両側の端部を除く部分に左右方向に亘って形成されている。
【００２０】
前板部１２の下端部は、底板部１３の前端部にねじなどの固着具を用いて固定されている。図６に示すように、前板部１２は、底板部１３の前端部から上方に向かって突出している。
【００２１】
本実施形態の前板部１２には、第１口枠１８と第２口枠１９が取り付けられている。
【００２２】
第１口枠１８は、前板部１２の上部の前面に沿って配置されている。第１口枠１８は、ねじなどの固着具を用いて前板部１２に取り付けられている。
【００２３】
第１口枠１８は、前方から見て横に長い長方形枠状で投入口１７を囲む枠状部２０を備えている。枠状部２０の内側領域は、投入口１７の前方に位置し、投入口１７に通じている。投入口１７には、枠状部２０の内側を通して郵便物が挿入される。
【００２４】
図７に示すように郵便受け１は、郵便受け本体１０の前端部に設けられて郵便受け本体１０よりも前側に光を出す照明装置１１を備えている。本実施形態の照明装置１１は、第１口枠１８の上端部に設けられている。照明装置１１は、長手方向が左右方向と平行な略棒状に形成されており、第１口枠１８の内側領域の左右方向の略全長に亘っている。
【００２５】
第１口枠１８には、枠状部２０の上面部の前部から下方に向かって突出した突片部２１が形成されている。突片部２１は、第１口枠１８の内側領域の左右方向の全長に亘っている。
【００２６】
照明装置１１は、突片部２１の後面に沿って配置された状態で第１口枠１８に固定されている。照明装置１１の前側は、突片部２１によって覆われている。
【００２７】
照明装置１１は、長手方向が左右方向と平行な棒状の導光部材２２と、導光部材２２の長手方向の端面に対向する位置に設けられた光源２３と、導光部材２２および光源２３を収納したケース２４を備えている。
【００２８】
光源２３から出た光は、導光部材２２の長手方向の端面から導光部材２２に入る。この光は、導光部材２２の反対側の端面に向かって進行し、この進行の過程で導光部材２２の上面によって下面側に拡散反射し、この後、導光部材２２の下面から下側に向かって出射する。これにより、導光部材２２は、長手方向の全長に亘って発光する。
【００２９】
ケース２４の導光部材２２の下面に対向する部分には、透光性を有する窓部２５が設けられている。導光部材２２の下面から出た光は、窓部２５を通して郵便受け本体１０の前側に位置する、枠状部２０の内側領域に出る。
【００３０】
第１口枠１８の下部には、縦板部２６が設けられている。縦板部２６は、枠状部２０の下面部の後部から上方に向かって一体に突出している。縦板部２６は、第１口枠１８の内側領域の左右方向の全長に亘っている。
【００３１】
縦板部２６の前面には、氏名や住所などを示す表示が設けられる。この表示は、例えば縦板部２６の前面に記された文字で構成される。なお、表示は縦板部２６の前面に取り付けられた表札であってもよい。
【００３２】
縦板部２６の前面に設けられた表示は、照明装置１１の導光部材２２の下面から窓部２５を通して出た光の一部により照らされる。
【００３３】
なお、導光部材２２の下面から窓部２５を通して出た光の一部は、第１口枠１８の枠状部２０の下面部の前方を通過する。このため、照明装置１１は、郵便受け１の前方に立つ人の足元灯としても機能する。
【００３４】
第２口枠１９は、図６に示すように、前板部１２の後側に位置している。第２口枠１９は、例えばねじなどの固着具を用いて前板部１２の上部に取り付けられる。
【００３５】
第２口枠１９は、前板部１２の上部の後面に沿って配置された前面板部２７を備えている。前面板部２７は、前方から見て横に長い長方形状である。
【００３６】
図７に示すように前面板部２７には、前後方向に貫通した投入孔２８が形成されている。投入孔２８は、前方から見て横に長い長方形状に形成されており、前方から見て投入口１７と重複している。投入口１７に挿入された郵便物は、投入孔２８を通過して郵便受け本体１０の内部に挿入される。
【００３７】
第２口枠１９には、投入口１７および投入孔２８を開閉可能に閉塞するフラップ２９が取り付けられている。フラップ２９は、その上端部を回転中心として第２口枠１９に前後方向に回転可能に取り付けられている。
【００３８】
図８および図９に示すように、第２口枠１９には、フラップ２９を前方に押圧する弾性部材として、ばね３１が設けられている。フラップ２９は、ばね３１により前面板部２７の投入口１７の周縁部の後面に押し付けられ、投入孔２８および投入口１７を閉塞する。
【００３９】
フラップ２９は、投入口１７から投入孔２８を経て郵便受け本体１０に挿入される郵便物によって後方に押圧される。これにより、フラップ２９が後方に回転して投入口１７および投入孔２８が開く。
【００４０】
第２口枠１９には、前面板部２７の上縁部、左右の側縁部、および下縁部のそれぞれから後方に向かって突出した、上縁片３２、側縁片３３，３４、および下縁片３５が形成されている。
【００４１】
下縁片３５は、上縁片３２および左右の側縁片３３，３４よりも、後方に突出している。図７に示すように、下縁片３５は、底板部１３から上方に離れている。下縁片３５は、前面板部２７の左右両端部を除く部分の左右方向の全長に亘って形成されている。投入口１７から投入孔２８を経て郵便受け本体１０の内部に雨水が侵入した場合、この雨水の一部は下縁片３５の上面で受けられる。
【００４２】
下縁片３５には、後端に近い部分程下方に位置するように下り勾配が設けられている。このため、下縁片３５で受けられた雨水は、下縁片３５の上面に沿って後方に流れ、下縁片３５の後端部から底板部１３の前端部に落下する。
【００４３】
底板部１３の上面には、下縁片３５の後端部から落下した雨水を受ける排水溝３６が形成されている。排水溝３６で受けられた雨水は、底板部１３に形成された排水孔から底板部１３の下方に排出される。
【００４４】
図８および図９に示すように、第２口枠１９には、下縁片３５の左右両端部のそれぞれから上方に向かって突出した水返し片４１，４２が形成されている。左右の水返し片４１，４２の前端は、前面板部２７に一体に連結されている。左右の水返し片４１，４２のうち、左側の水返し片４１の上部は、投入孔２８の左側（第１側板部１４側）に位置し、右側の水返し片４２の上部は、投入孔２８の右側（第２側板部１５側）に位置している。
【００４５】
投入口１７から投入孔２８を経て郵便受け本体１０内に雨水が入った場合、この雨水の一部は、水返し片４１，４２の投入孔２８側の側面で受けられた後、この側面に沿って下縁片３５の上面まで導かれ、この後、下縁片３５の後端部から排水溝３６に落下する。
【００４６】
図７に示すように第２口枠１９の下縁片３５と底板部１３の間には、第１スペース４３が形成されている。第１スペース４３は、前板部１２の下部の後方に位置している。
【００４７】
本実施形態では、第１スペース４３に制御ユニット９が設けられている。
【００４８】
制御ユニット９は、後述する照度センサー６０の検知結果に基づいて照明装置１１の光出力を制御する制御装置９０と、制御装置９０を収納した制御ボックス９１とを備えている。
【００４９】
制御装置９０および制御ボックス９１は、郵便受け本体１０の内部の前端部の下部に設けられており、共に投入口１７よりも下方に位置している。
【００５０】
制御装置９０は、制御回路、外部電源に接続される電源部９２（内部電源）、および端子台９３などを備えている。
【００５１】
制御ボックス９１は、第２口枠１９の下縁片３５から下方に突出した突部４４にねじなどの固着具を用いて取付けられている。制御ボックス９１の上側は、第２口枠１９の下縁片３５によって覆われている。このため、制御ボックス９１および制御装置９０には、投入口１７から郵便受け本体１０の内部に侵入した雨水がかかりにくい。また、制御ボックス９１および制御装置９０は、下縁片３５の後端よりも前方に位置している。このため、下縁片３５の後端部から落下した雨水もかかりにくい。
【００５２】
図８〜図１０に示すように、本実施形態の郵便受け１は、照明装置１１と制御装置９０を電気的に接続する配線として、電源線９４とアース線９５を備えている。
【００５３】
一端部が照明装置１１に接続された電源線９４は、郵便受け本体１０の内部に導入されている。このように郵便受け本体１０に導入された電源線９４は、図８に示すように、前面板部２７の内面に沿って制御ボックス９１まで配線され、この後、制御ボックス９１内に導入されて電源部９２に接続されている。
【００５４】
図１０に示すように一端部が照明装置１１に接続されたアース線９５は、ケース２４の左側端部から後方に引き出されている。
【００５５】
前板部１２の左側（第１側板部１４側）の端部の上端部、および前面板部２７の左側の端部の上端部のそれぞれには、挿通孔３７，３８が形成されている。ケース２４から後方に引き出されたアース線９５は、図９に示すように、挿通孔３７，３８を通して前面板部２７の後方に引き出されている。
【００５６】
前板部１２において、投入口１７の左側に位置する部分の内面側には、上下方向に延びた配線通路４０が設けられている。
【００５７】
配線通路４０は、後方に向かって開口した溝状に形成されている。配線通路４０は、前面板部２７の投入孔２８の左側に位置する部分と、第２口枠１９の左側の側縁片３３と、この側縁片３３に対向する左側の水返し片４１とで構成されている。
【００５８】
溝状の配線通路４０は、上下に開口している。挿通孔３７，３８から前面板部２７の後方に引き出されたアース線９５は、配線通路４０に上方から導入され、この後、下方の第１スペース４３に引き出されている。このアース線９５は、例えば第１スペース４３において、接地された前板部１２や第１側板部１４に接続される。
【００５９】
配線通路４０には、第２口枠１９の左側の側縁片３３の内面から突出した配線保持部４５が形成されている。アース線９５の配線通路４０に通された部分は、配線保持部４５の前方に位置している。アース線９５の配線通路４０に通された部分は、配線保持部４５によって後方への移動が規制され、これにより、前面板部２７の後面に沿った状態で保持されている。
【００６０】
本実施形態の郵便受け本体１０は、図５に示す上カバー４６を備えている。上カバー４６は、例えば金属製である。上カバー４６は、天板部１６と、天板部１６の左右両端部のそれぞれから下方に向かって一体に突出した側板部１４，１５とで構成されている。
【００６１】
天板部１６の前端部および左右の側板部１４，１５のそれぞれの前端部は、ねじ等の固着具を用いて前板部１２に固定されている。左右の側板部１４，１５の下端部は、ねじ等の固着具を用いて底板部１３に固定されている。
【００６２】
本実施形態の郵便受け本体１０には、センサーユニット６が設けられている。センサーユニット６は、図９に示すように、第１側板部１４の内面に沿って配置されたセンサー部６１を備えている。
【００６３】
図１１に示すように、センサー部６１は、センサー部６１の外面を構成するセンサーケース６３と、センサーケース６３に収納された照度センサー６０と、センサーケース６３に設けられたねじ固着部６４とを備えている。
【００６４】
センサーケース６３は、センサー収納部６５と、センサー収納部６５から前方に向かって突出した配線収納部６６とを備えている。
【００６５】
センサー収納部６５は、左側（第１側板部１４側）に向かって開口した箱状に形成されている。
【００６６】
照度センサー６０は、センサー収納部６５に収納され、照度センサー６０の右側（第１側板部１４とは反対側）は、センサー収納部６５で覆われている。照度センサー６０と制御装置９０は、電気配線９６を介して接続されている。
【００６７】
図１２に示すように、照度センサー６０には、左側から複数のねじ６８が挿通され、これらねじ６８がセンサー収納部６５にねじ込まれて固着されている。これにより、照度センサー６０は、センサー収納部６５に固定されている。
【００６８】
照度センサー６０の第１側板部１４側に臨む左側面には、郵便受け本体１０の外部の照度（明るさ）を検知するための光検知部６７が突出した状態で設けられている。
【００６９】
本実施形態のねじ固着部６４は、センサーケース６３と別体の金属製プレートで構成されている。なお、ねじ固着部６４は、センサーケース６３と一体に形成されてもよい。
【００７０】
ねじ固着部６４は、照度センサー６０の左側面（光検知部６７が設けられた部分を除く）に沿って配置されており、センサー収納部６５に収納されている。
【００７１】
ねじ固着部６４において光検知部６７に対応する箇所には、左右方向に貫通した孔７７が形成されている。照度センサー６０の光検知部６７は、ねじ固着部６４の孔７７に嵌め込まれている。
【００７２】
ねじ固着部６４には、左側から複数のねじ７６が挿通され、これらねじ７６はセンサー収納部６５にねじ込まれて固着されている。これにより、ねじ固着部６４は、センサー収納部６５に固定されている。
【００７３】
図１１に示すように、配線収納部６６は、センサー収納部６５の上部から前方に向かって突出している。配線収納部６６は、左側に向かって開口し、長手方向が前後方向と平行な溝状に形成されている。
【００７４】
配線収納部６６の内側領域は、センサー収納部６５の内側領域に通じている。配線収納部６６の前端部には、前開口部６９が形成されている。一端部が照度センサー６０に接続された電気配線９６は、センサー収納部６５の内側から、配線収納部６６の内側を通って前開口部６９から配線収納部６６の前方に引き出されている。すなわち、電気配線９６の一部は、配線収納部６６に収納されている。
【００７５】
配線収納部６６の前開口部６９から前方に引き出された電気配線９６は、図９に示すように配線通路４０に上方から導入され、この後、配線通路４０を通して下方の第１スペース４３に引き出されている。すなわち、本実施形態の配線通路４０は、アース線９５及び電気配線９６が通る通路である。
【００７６】
電気配線９６の配線通路４０に通された部分は、アース線９５と同様、配線保持部４５の前方に位置し、後方への移動が規制されている。
【００７７】
配線通路４０から第１スペース４３に引き出された電気配線９６は、制御ボックス９１の左側の側壁部に形成された配線挿通口４８を通して制御ボックス９１内に導入され、この後、制御ボックス９１内の端子台９３に接続されている。
【００７８】
センサーケース６３は、第１側板部１４の上端部の内面に沿って配置されている。センサーケース６３の前端部（配線収納部６６の前端部）は、郵便受け本体１０の内部の前端部に設けられた嵌込部４９に嵌め込まれている。
【００７９】
本実施形態の嵌込部４９は、第２口枠１９の左側の側縁片３３および左側の水返し片４１のそれぞれの上部から後方に延び出た延出部５０，５１と、これら延出部５０，５１の上方に離れて位置する天板部１６とで構成されている。
【００８０】
配線収納部６６の前端部は、両延出部５０，５１と上縁片３２との間に後方から嵌め込まれており、これにより上下方向の移動が規制されている。
【００８１】
配線収納部６６の前端部には、下方に突出した突起７０が形成されている。突起７０は、左右の延出部５０，５１の間に嵌め込まれており、これにより左右方向の移動が規制されている。
【００８２】
図１２に示すねじ固着部６４は、第１側板部１４の後部の上部に対向しており、照度センサー６０は、ねじ固着部６４を介して、第１側板部１４の後部の上部の内面に沿って配置されている。
【００８３】
第１側板部１４の後部の上部の外面には、第１側板部１４の一部を内面側に向かって突出するように曲げて形成された凹部５２（図１３参照）が形成されている。
【００８４】
図１２に示すように、センサーユニット６は、第１側板部１４の外面に沿って配置されたセンサーカバー６２を備えている。
【００８５】
第１側板部１４において凹部５２の奥面部を構成する部分は、ねじ固着部６４およびセンサーカバー６２が固定される固定部５３を構成している。
【００８６】
ねじ固着部６４は、固定部５３の内面に沿って配置されており、固定部５３と照度センサー６０の間に位置している。
【００８７】
固定部５３には、ねじ固着部６４の孔７７に配置された光検知部６７を郵便受け本体１０の外部に露出させる開口部５４が形成されている。本実施形態の開口部５４は、第１側板部１４を厚み方向（左右方向）に貫通した孔で構成されている。なお、開口部５４は、第１側板部１４に形成された切欠であってもよい。また、本実施形態の光検知部６７は、固定部５３よりも郵便受け本体１０の内側に位置しているが、第１側板部１４の外面側に露出するのであれば、開口部５４内に位置してもよいし、固定部５３よりも郵便受け本体１０の外側に位置してもよい。
【００８８】
本実施形態のセンサーカバー６２は、スペーサー７１を介して固定部５３の外面に沿って配置されている。
【００８９】
スペーサー７１およびセンサーカバー６２は、その全部が凹部５２内に収納されており、第１側板部１４の凹部５２以外の部分の外面よりも外側に突出していない。このため、利用者がセンサーカバー６２に接触するといった事態が生じにくい。
【００９０】
スペーサー７１は、側方から見て矩形枠状に形成されており（図１３参照）、その中央部には、照度センサー６０を外面側に露出させる貫通孔７２が形成されている。
【００９１】
センサーカバー６２は、カバー部７３を備えている。カバー部７３は、第１側板部１４の開口部５４、およびスペーサー７１の貫通孔７２を介して郵便受け本体１０の外面側に露出した光検知部６７を覆っている。カバー部７３は透光性を有しており、照度センサー６０の光検知部６７は、カバー部７３を通して郵便受け１の外部の光を検知する。
【００９２】
センサーカバー６２およびスペーサー７１には、左側（第１側板部１４とは反対側）から複数のねじ７４が挿通され、これらねじ７４は、固定部５３を通してねじ固着部６４に形成されたねじ孔７５にねじ込まれて固着されている。
【００９３】
センサーカバー６２とねじ固着部６４の間には、スペーサー７１と固定部５３が挟まれている。これにより、ねじ固着部６４およびセンサーカバー６２は、郵便受け本体１０の第１側板部１４の後部の上部に設けられている。すなわち、本実施形態では、ねじ７４がセンサー部６１とセンサーカバー６２の両者を第１側板部１４に固着するための固着具として用いられている。
【００９４】
前述のセンサー部６１とセンサーカバー６２を第１側板部１４にねじ７４で取り付ける作業は、図９に示すように、センサーケース６３の前端部を、嵌込部４９に嵌め込んで上下方向の移動および左右方向の移動を規制した状態で簡単に行うことができる。
【００９５】
郵便受け本体１０の外部の光は、図１２に示すセンサーカバー６２のカバー部７３、スペーサー７１の貫通孔７２、第１側板部１４の開口部５４、およびねじ固着部６４の孔７７を通って、照度センサー６０の光検知部６７に至る。これにより、照度センサー６０は、郵便受け本体１０の外部の照度を検知し、この検知信号を図７に示す制御装置９０に出力する。制御装置９０は、照度センサー６０で検知した照度（検知信号）に基づいて、照明装置１１の光出力を制御する。
【００９６】
具体的に制御装置９０は、照度センサー６０により検知された照度が予め設定された所定値以下になったとき、照明装置１１の光源２３を点灯する。また、制御装置９０は、照度センサー６０により検知された照度が前記所定値よりも大きくなったとき、照明装置１１の光源２３を消灯する。これにより、夜間など郵便受け１の外部が暗い時にのみ光源２３が点灯し、照明装置１１の前側が照明される。
【００９７】
なお、本実施形態では、照度センサー６０の検知結果に基づいて照明装置１１の点灯と消灯が切替えられるが、照度センサー６０の検知結果に基づいて照明装置１１の点灯時の明るさが調節されてもよい。
【００９８】
本実施形態の郵便受け本体１０の底板部１３の前部には、仕切部材５５が設けられている。仕切部材５５は、前板部１２から後方に離れており、底板部１３の左右方向の略全長に亘っている。
【００９９】
仕切部材５５は、前方から見て横に長い長方形状に形成された仕切板で構成されており、底板部１３上に立てた状態で設けられている。仕切部材５５の下端部は、ねじなどの固着具を用いて底板部１３に固定されている。
【０１００】
仕切部材５５は、郵便受け本体１０の内側領域を、郵便受け本体１０の前端部の下部に位置する第１スペース４３と、郵便受け本体１０の前端部の下部以外の領域である第２スペース５６とに仕切っている。
【０１０１】
仕切部材５５は、第１スペース４３に配置された制御ユニット９の後側を覆っている。
【０１０２】
仕切部材５５で第１スペース４３と仕切られた第２スペース５６は、第２口枠１９の投入孔２８を介して投入口１７に通じている。第２スペース５６には、投入口１７および投入孔２８を介して投入された郵便物が収納される。
【０１０３】
図４に示すように、郵便受け本体１０の後面には、第２スペース５６に通じる取出口５７が形成されている。本実施形態の取出口５７は、上カバー４６の後縁部と底板部１３の後縁部とで構成されている。
【０１０４】
郵便受け１は、例えば図１に示すように郵便受け本体１０の前部を壁２に埋め込み、かつ後部を壁２から後方に突出した状態で設置される。すなわち、郵便受け本体１０は、郵便受け本体１０の前部を壁２に埋め込んだ状態で設置したときに壁２から後方に向かって突出する突出部４７を備えている。
【０１０５】
前述した照度センサー６０は、突出部４７を構成する第１側板部１４の後部に設けられている。このため、照度センサー６０は、郵便受け１の外部の光を検知しやすい。
【０１０６】
なお、図１および図２に示す壁２は、建物の外溝を形成する門柱であるが、郵便受け１が設置される壁２は門柱に制限されず、例えば門塀や、建物の外壁などであってもよい。また、図１に示す例では、郵便受け１が第１口枠１８を壁２よりも前方に突出した状態で設置されているが、第１口枠１８の前端面が壁２の前面と面一となるように設置されてもよい。
【０１０７】
以上説明した本実施形態の郵便受け１は、以下の特徴を有している。郵便受け１は、郵便受け本体１０、照明装置１１、照度センサー６０、および制御装置９０を備える。郵便受け本体１０は箱状であり、前面に投入口１７が形成され、前部が壁２に埋め込まれた状態で設置可能である。照明装置１１は、郵便受け本体１０の前端部に設けられて、郵便受け本体１０よりも前側に光を出す。照度センサー６０は、郵便受け本体１０の外部の照度を検知する。制御装置９０は、照度センサー６０で検知した照度に応じて、照明装置１１の光出力を制御する。郵便受け本体１０は前部が壁２に埋め込まれた状態で設置されたときに壁２から後方に突出する突出部４７を備える。突出部４７に照度センサー６０が設けられる。
【０１０８】
この特徴を有する郵便受け１は、照度センサー６０が郵便受け本体１０の壁２から後方に突出する突出部４７に設けられる。このため、照度センサー６０を、郵便受け１の外部の光を検知しやすく、かつ照明装置１１から出た光を検出し難い位置に配置できる。従って、照度センサー６０が照明装置１１から出た光を検出して、照明装置１１の制御が適切に行われないという事態が生じ難く、照明装置１１の光出力を適切に制御できる。
【０１０９】
また、郵便受け１は、本実施形態のように以下の特徴を有することが好ましい。郵便受け１は、照度センサー６０と制御装置９０とを接続する電気配線９６を備える。照度センサー６０が、郵便受け本体１０の側板部１４に設けられる。制御装置９０は、郵便受け本体１０の内部の前端部に設けられる。郵便受け本体１０の内部に、側板部１４の内面に沿って前後方向に延びた配線収納部６６が設けられる。配線収納部６６に電気配線９６の少なくとも一部が収納される。
【０１１０】
この特徴を有する郵便受け１は、照度センサー６０と制御ユニット９を接続する電気配線９６の少なくとも一部が配線収納部６６に収納されるため、郵便受け本体１０に挿入された郵便物が電気配線９６に引っ掛かり難い。
【０１１１】
また、郵便受け１は、本実施形態のように以下の特徴を有することが好ましい。照度センサー６０が、郵便受け本体１０の側板部１４の上部に設けられる。制御装置９０が、郵便受け本体１０の内部の前端部でかつ投入口１７よりも下方に配置される。郵便受け本体１０の前面を構成する前板部１２において、投入口１７の側板部１４側に位置する部分の内面側に、上下方向に延びた配線通路４０が設けられる。配線通路４０に電気配線９６が通される。
【０１１２】
この特徴を有する郵便受け１は、照度センサー６０と制御ユニット９を接続する電気配線９６が、投入口１７の側板部１４側に位置する部分の内面側に設けられた配線通路４０を通して、制御ユニット９に接続される。このため、投入口１７から投入された郵便物が電気配線９６に引っ掛かり難い。
【０１１３】
また、本実施形態の郵便受け１の設置構造は、以下の特徴を有している。郵便受け１の郵便受け本体１０の前部が、壁２に埋め込まれた状態で設置される。郵便受け本体１０の突出部４７が壁２から後方に突出する。
【０１１４】
この特徴を有する郵便受け１の設置構造では、郵便受け本体１０の突出部４７に設けられた照度センサー６０が壁２よりも後方に位置する。このため、照度センサー６０を、郵便受け１の外部の光を検知しやすく、かつ照明装置１１から出た光を検知し難い位置に配置できる。従って、照度センサー６０が照明装置１１から発した光を検出して、照明装置１１の制御が適切に行われないという事態が生じ難く、照明装置１１の光出力を適切に制御できる。
【０１１５】
なお、本実施形態では、照明装置１１が郵便受け本体１０の前面に取り付けた第１口枠１８に設けられているが、郵便受け本体１０の前端部に郵便受け本体１０の前側に光を出すように設けられるのであれば、例えば第２口枠１９などの他の部分に設けられてもよい。
【０１１６】
また、本実施形態では、照度センサー６０が郵便受け本体１０の第１側板部１４に設けられているが、壁２から後方に突出する突出部４７に位置するのであれば、第２側板部１５や底板部１３、天板部１６に設けられてもよい。
【０１１７】
また、本実施形態では、照度センサー６０と制御ユニット９を接続する電気配線９６の一部が配線収納部６６に収納されているが、電気配線９６の全部が配線収納部６６に収納されてもよい。
【０１１８】
また、この他、本発明は本実施形態に限定されるものではなく、本発明の意図する範囲内であれば、適宜の設計変更が可能である。
【符号の説明】
【０１１９】
１  郵便受け
２  壁
１０  郵便受け本体
１１  照明装置
１２  前板部
１４  側板部（第１側板部）
１７  投入口
４０  配線通路
４７  突出部
６０  照度センサー
６６  配線収納部
９０  制御装置
９６  電気配線
【図１】
0006541054.tif 000002
【図２】
0006541054.tif 000003
【図３】
0006541054.tif 000004
【図４】
0006541054.tif 000005
【図５】
0006541054.tif 000006
【図６】
0006541054.tif 000007
【図７】
0006541054.tif 000008
【図８】
0006541054.tif 000009
【図９】
0006541054.tif 000010
【図１０】
0006541054.tif 000011
【図１１】
0006541054.tif 000012
【図１２】
0006541054.tif 000013
【図１３】
0006541054.tif 000014